(57)【要約】【目的】男性あるいは女性が使用する個室のトイレにおいて、手などの人体部分をトイレ内の錠装置などに全く接触させることなしにトイレの錠を解錠したり、あるいは施錠及び解錠したりできる個室のトイレ用でモータ式の錠装置を提供することを目的とする。【構成】未使用時に開扉状態となる仕様のトイレに取り付けられるトイレ扉施解錠用の錠装置であり、トイレ内に入室後、トイレ扉を閉扉して施錠すると共に、解錠は、所定箇所への手かざし操作で、人体検知センサに解錠信号を検知させ、解錠信号を受けたトイレ扉施解錠用の錠装置は、解錠動作部を動作させ、受け部からデッドボルトを外して解錠する、ことを特徴とする。【選択図】              図２
2010281175.tif 000002
【特許請求の範囲】
【請求項１】
未使用時に開扉状態となる仕様のトイレに取り付けられるトイレ扉施解錠用の錠装置であり、
前記トイレ内に入室後、トイレ扉を閉扉して施錠すると共に、解錠は、所定箇所への手かざし操作で、人体検知センサに解錠信号を検知させ、前記解錠信号を受けたトイレ扉施解錠用の錠装置は、解錠動作部を動作させ、受け部からデッドボルトを外して解錠する、
ことを特徴とするトイレ扉施解錠用の錠装置。
【請求項２】
未使用時に開扉状態となる仕様のトイレに取り付けられるトイレ扉施解錠用の錠装置であり、
前記トイレ内に入室後、トイレ扉を閉扉すると共に、前記トイレ扉施解錠用の錠装置の施錠は、人体検知センサによる人体認識により施錠動作部を作動させて施錠すると共に、解錠は、所定箇所への手かざし操作で、人体検知センサに解錠信号を検知させ、前記解錠信号を受けたトイレ扉施解錠用の錠装置は、解錠動作部を動作させ、受け部からデッドボルトを外して解錠する、
ことを特徴とするトイレ扉施解錠用の錠装置。
【発明の詳細な説明】
【技術分野】
【０００１】
本発明は、センサに例えば人の手をかざすだけでトイレの錠装置を解錠でき、あるいは施錠と解錠ができるトイレ用モータ式の錠装置に関するものである。
【背景技術】
【０００２】
従来より、たとえば男子トイレなどでは、トイレの前面に立つと、いわゆる検知センサが人の気配を感じ、自動的に水を流すなどのセンサ装置を組み込んだトイレが存在している。
また、男女いずれの側からでも使用でき、多目的ホールなど、施設使用者の男女構成比率が変化した場合に柔軟に対応できる様な構成を採用したトイレに関する発明も提案されてはいる。
しかしながら、男性あるいは女性が使用する個室のトイレにおいて、手などの人体部分をトイレ内の錠装置などに接触させることなしにトイレの錠を解錠したり、あるいは施錠及び解錠したりする錠装置は存在するものではなかった。
【先行技術文献】
【特許文献】
【０００３】
【特許文献１】特開平８−１５１８１１号公開公報
【発明の概要】
【発明が解決しようとする課題】
【０００４】
かくして、本発明は、前記従来の課題を解消するために創案されたものであって、男性あるいは女性が使用する個室のトイレにおいて、手などの人体部分をトイレ内の錠装置などに全く接触させることなしにトイレの錠を解錠したり、あるいは施錠及び解錠したりできる個室のトイレ用でモータ式の錠装置を提供することを目的とするものである。
【課題を解決するための手段】
【０００５】
本発明による個室トイレ用でモータ式の錠装置は、
未使用時に開扉状態となる仕様のトイレに取り付けられるトイレ扉施解錠用の錠装置であり、
前記トイレ内に入室後、トイレ扉を閉扉して施錠すると共に、解錠は、所定箇所への手かざし操作で、人体検知センサに解錠信号を検知させ、前記解錠信号を受けたトイレ扉施解錠用の錠装置は、解錠動作部を動作させ、受け部からデッドボルトを外して解錠する、
ことを特徴とし、
または、
未使用時に開扉状態となる仕様のトイレに取り付けられるトイレ扉施解錠用の錠装置であり、
前記トイレ内に入室後、トイレ扉を閉扉すると共に、前記トイレ扉施解錠用の錠装置の施錠は、人体検知センサによる人体認識により施錠動作部を作動させて施錠すると共に、解錠は、所定箇所への手かざし操作で、人体検知センサに解錠信号を検知させ、前記解錠信号を受けたトイレ扉施解錠用の錠装置は、解錠動作部を動作させ、受け部からデッドボルトを外して解錠する、
ことを特徴とするものである。
【発明の効果】
【０００６】
本発明による錠装置であれば、
男性あるいは女性が使用する個室のトイレにおいて、手などの人体部分をトイレ内の錠装置などに全く接触させることなしにトイレの錠を解錠したり、あるいは施錠及び解錠したりできる個室のトイレ用でモータ式の錠装置を提供できる。
【図面の簡単な説明】
【０００７】
【図１】本発明の使用例を説明する使用例説明図（その１である）。
【図２】本発明の使用例を説明する使用例説明図（その１である）。
【図３】本発明の使用例を説明する使用例説明図（その１である）。
【図４】本発明の使用例を説明する使用例説明図（その１である）。
【図５】本発明の使用例を説明する使用例説明図（その１である）。
【図６】本発明の使用例を説明する使用例説明図（その１である）。
【図７】本発明による錠装置の概略構成を説明する説明図である。
【図８】本発明の錠装置における本体ロック部の概略構成を説明する説明図である。
【図９】本発明の人体検知センサの使用状態を説明する説明図である。
【図１０】錠装置の内部構成を説明する第１実施例の説明図（その１）である。
【図１１】錠装置の内部構成を説明する第１実施例の説明図（その２）である。
【図１２】錠装置の内部構成を説明する第２実施例の説明図（その１）である。
【図１３】錠装置の内部構成を説明する第２実施例の説明図（その２）である。
【図１４】錠装置の内部構成を説明する第３実施例の説明図（その１）である。
【図１５】錠装置の内部構成を説明する第３実施例の説明図（その２）である。
【図１６】錠装置の内部構成を説明する第４実施例の説明図（その１）である。
【図１７】錠装置の内部構成を説明する第４実施例の説明図（その２）である。
【発明を実施するための形態】
【実施例】
【０００８】
図１、図２は本発明による錠装置１を、内開きのトイレ扉２に取り付けて適用した概略図である。図１から理解されるように、本発明では、未使用の際には、トイレ扉２が開いている仕様の個室トイレ２５に適用される。
【０００９】
また、図３、図４は、トイレ扉２が外開きするタイプであり、図５、図６は、引き戸タイプのトイレ扉２であり、これらのトイレ扉２も未使用の時には主に、自動的に開扉状態となるよう構成されている。
【００１０】
しかして本発明は、これらすべて未使用の時には、主に、自動的に開扉状態となるトイレ扉２に適用されるものである。
ただ、外開きのトイレ扉２の場合、解錠した後に、肩や肘など体の一部をトイレ扉側に押して出ることが出来るので、たとえ自動的に開扉状態にならない場合でも本発明を適用できる。
【００１１】
次に、本発明による錠装置の使用状態の概略につき図１及び図２を参照して説明すると、トイレ２５を使用するとき、図１のようにトイレ扉２が開扉している状態でトイレ２５内に入る。そして、トイレ２５に入った後は、図２に示すように、トイレ２５の内側からトイレ扉２を押して閉め、次いで錠装置１を手動で施錠する（なお、この場合においても錠装置１に接触せずに、いわゆる自動的に施錠するタイプもあるが、そのタイプの実施例は後述するものとする）。
【００１２】
その後、トイレから出るときには、図２から理解されるように、錠装置１が取り付けてあるトイレ扉２に対向する側壁３に手のひらをかたどった図形４がシールなどで描かれており、該図形４に手のひらをあわせて、前記側壁３に手のひらを接触させることなく、ただ、かざすことだけおこなう。
すると、錠装置１に設けられた人体検知センサが人体（前記の手のひら）を検知し、もってその検知信号を解錠信号として送出し、例えば電池を電源とするモータを駆動させて錠装置１を解錠するのである。
【００１３】
そして、錠装置１が解錠すると共に、トイレ扉２が自動的に開扉し（図１参照）、トイレ２５内から、トイレ扉２や錠装置１など手で操作することなく、またトイレ２５内のいかなる機器や部材にも全く接触することなしに、トイレ２５からスムーズに出られるものとなる。
【００１４】
本発明による錠装置１の動作概略を図１及び図２を参照して説明したが、図３、図４に示す外開きのトイレ扉２や、図５及び図６に示す引き戸タイプのトイレ扉２にも適用され、同様に動作するものとなる。
【００１５】
次に、本発明で適用する錠装置１の概略構成につき説明する。
本発明の錠装置１は、いわゆるモータ式ロックを使用した錠装置１である。電源部１０として主に小型の電池が使用されるが、必ずしもその構成に限定されるものではない。
【００１６】
この錠装置１は、図７に示すように、本体ロック部５と、錠装置１に対向するトイレ２５の側壁３に設けられた受け部６に嵌合して施錠するデッドボルト部７とを有し、本体ロック部５には、図７に示すように、動作中を表示するＬＥＤなどで構成されたインジケーター２６のほか、図８に示すように、前記デッドボルト部７を動作させて施解錠するロック部８と、このロック部８に動作信号、すなわち解錠の信号を与える人体検知センサ９と、これらを制御する制御部２７と、前記ロック部８及び人体検知センサ９に電源を供給する電源部１０と、これらをカバーするケース１１とを有して構成されている。
【００１７】
なお、電源部１０は、小型の電池を使用する場合もあるが、必ずしも電池を使用せず、例えば通常の電線からの電源でもかまわない。
ここで、ロック部８は、通常の動作として図７に示すようにケース１１から突設されている操作レバー１２を手動で操作することにより施錠動作出来るように構成されている。
【００１８】
そして、解錠に際しては、人体検知センサ９の解錠信号を受けて自動的に解錠動作するよう構成されている。これをいわゆる半自動ロックタイプの錠装置１と称している。なお、このロック部８は、緊急の場合を想定して手動で、前記の操作レバーを操作することにより、解錠動作もできるように構成されている。
【００１９】
ところで、本発明の大きな特徴は、人体検知センサ９から検知した信号をロック部８の解錠動作の始動に使用した点にある。
すなわち、本発明の人体検知センサ９は、例えば２つのセンサ部１３，１３を有して構成し、そのうち、少なくともいずれか一方は受動型赤外線人体検知センサで構成するのが好ましいものとした。
【００２０】
また、いずれか他方のセンサ部１３については、同様に受動型赤外線人体検知センサでも構わないし、光電管式センサで構成しても構わないものとした。あるいは双方のセンサを光電管式センサで構成することも考えられる。
【００２１】
ここで、受動型赤外線センサの長所について説明すると、受動型赤外線センサは、人体を確実に検知でき、また待機消費電流が少ないとの長所を有する。
これに対し、短所としては、人体の検知のみならず動物も検知してしまうこと、また検知距離の範囲調整制御の精度性に欠けることとの点が挙げられる。
【００２２】
次に、光電管式センサは、検知距離調整制御が比較的確実であるとの長所があり、逆に短所としては、人体以外にも光を反射するものを容易に検知してしまうこと、カバー部材の透過素材が曇るなどすると検知能力が極端に低下すること、また待機消費電流が大きいことなど上げられる。
【００２３】
ここで２つのセンサ部１３，１３の組み合わせとしては、２つとも受動型赤外線人体検知センサで構成する場合、１つを受動型赤外線人体検知センサで構成し、他方を光電管式センサで構成する場合、２つのセンサ部１３，１３とも光電管式センサで構成する場合が考えられる。
２つのセンサ部１３，１３ともに受動型赤外線人体検知センサで構成した場合、あるいは２つのセンサ部１３，１３ともに光電管式センサで構成する場合は、その長所は倍加されるが、短所も倍加することになる。
【００２４】
また、１つを受動型赤外線人体検知センサで構成し、他方を光電管式センサで構成する場合は、それぞれの長所が得られるが、それぞれの短所も有することになる。
【００２５】
しかして、本件発明は、いかなる組み合わせにしようとも、その長所をさらに伸ばし、かつ短所を消滅させるものとする。
ここで、受動型赤外線人体検知センサの構成の概略につき説明すると、人間または動物の身体は赤外線を放出している。よって、受動型赤外線人体検知センサは、この身体が放出している赤外線の変化を検知し、例えばリレーを動作させるなどの動作を行うセンサである。そして、受動型赤外線人体検知センサは、一般的に、いわゆるフレネルレンズなるレンズを装着しているのが一般的で、もって、非常に狭い範囲での人の動きをも検知出来るようになっている。
【００２６】
このように、受動型赤外線人体検知センサは、自ら赤外線ビームを発射しない。前記のように、人体から常に微弱な赤外線が放出されており、その赤外線を受信して、人体を検知する。よって、このタイプのセンサは、自分自身で赤外線を発射しないため、「パッシブ（受動）」センサと称呼される。また、受動型赤外線人体検知センサは、人体の体温（表面の温度）に反応するように作られており、よって、小動物、落ち葉、自動車などにはあまり反応しないのである。
【００２７】
さらに、受動型赤外線人体検知センサは、通常室内に設置されることが多い。なぜなら、受動型赤外線人体検知センサは、人体から放出される微量の赤外線を感知して、人が監視領域内にいるかどうか判断するのを得意としているからである。従って、従来では、室内のライトを点灯させたり室内の侵入を知らせるアラーム音を発生させたりするのに使用されていた。
【００２８】
次に、光電管式センサとは、拡散反射形センサとも称され、検知方式投受光器一体形で、通常受光部に投光した光は戻らない構成となっている。そして、投光部から出た光が検知物体にあたると、検知物体から反射した光が受光部に入り、受光量が増加する。その増加分をとらえ検知を行うものである。光電管式センサの特長として、検知距離は数cm〜数m、また取りつけ調整が容易、検知物体の表面状態（色、凹凸）で光の反射光量が変わり、検知安定性が変わるなどが挙げられる。
【００２９】
ここで、人体検知センサ９は、２のセンサ部１３，１３を内装すべく、その外側周囲に、略半球状のドーム型に形成されたカバー部材１４が配置され、前記人体検知センサ９のセンサ部１３，１３はこのカバー部材１４により所定の間隔を設けて覆われる構成となっている。なお、該カバー部材１４の形状については何ら限定されるものではなく、後述する図９のように略円筒型に形成してもかまわないものである。
【００３０】
ここで、カバー部材１４は、人体検知センサ９の信号が透過しない部材,例えば、ABＳ樹脂（アクリロニトリル (Acrylonitrile)、ブタジエン (Butadiene)、スチレン (Styrene)共重合合成樹脂）などで前記人体検知センサ９の２つのセンサ部１３，１３を覆うように構成されている。
そして、この信号を透過しない部材によってカバー部材１４の殆どが構成されている。
【００３１】
このカバー部材１４は、例えば略半球状のドーム型に形成され、あるいは、高さの低い略円筒状に形成され、その材質の殆どが、前述したように、信号が透過しない部材、すなわち例えば前記したABＳ樹脂（アクリロニトリル (Acrylonitrile)、ブタジエン (Butadiene)、スチレン (Styrene)共重合合成樹脂）などで前記信号透過部８の全体を覆うように構成され、さらに上方中央位置には、上方真ん中の中央位置より若干左右にずらした位置に小窓状に形成され、信号が透過する様構成された信号透過窓１５が形成されている。
【００３２】
ここで、該信号透過窓１５は、やはり前記したように、信号を透過する部材、例えばポリエチレン樹脂などで小窓状に形成したものである。
なお、当該信号透過窓１５の形成においても、カバー部材１４の上面部の一部を小窓状に切り欠いて形成しても構わないものである。
【００３３】
しかして、当該略半球状のドーム型をなすもの、あるいは略円筒状をなすカバー部材１４は、例えば、下部に設けられたリング状レールが断面凹状をなすリング状軌道上に遊嵌状態で外れないよう嵌め込まれて設置されており、もって、略半球状のドーム型をなすカバー部材１４は、エンドレス状態でリング状に回動するよう構成されている。
【００３４】
これにより、２箇所のセンサ部１３，１３を覆ったカバー部材１４を各々回動して、信号透過窓１５，１５の設置位置を変えることにより、各々のセンサ部１３，１３への信号透過方向を微妙に変化させることが出来、ひいては検知対象物までの検知距離や検知方向などを自在に変化させることが出来るように構成してあるのである。
【００３５】
さらに、人体検知センサ９の使用状態につき説明すると、図９に示すように、人体検知センサ９のセンサ部１３，１３からは、所定の角度に開いた２つの信号透過方向が示されている。そして、符号Ｈ１で示される箇所は、２つの信号透過方向が人体における手のひら１３の長さ程度に開いていることが理解できる。また符号Ｈ２で示された箇所では、さらにそれより広く開いていることが理解できる。
【００３６】
ここで、人体検知センサ９は、２つのセンサ部１３，１３が同時に人体からの信号（例えば赤外線）を検知しなければ、人体検知センサ９により信号を検知したことにならないよう構成されているのである。
よって、符号Ｈ２の箇所で、たとえ一方側のセンサ部１３が人体検知したとしても、他方のセンサ部１３が人体検知しなければ、総体的に信号検知しない構成となっているのである。
【００３７】
しかしながら、符号Ｈ１の箇所では、人体検知センサ９の近傍位置でもあり、２つの人体検知センサ９への信号透過角度はあまり拡開されていない。前記のように、人体における手のひらの長さ程度に開いているにすぎない。
従って、このＨ１の箇所に手のひらをかざせば、確実に双方のセンサ部１３，１３が人体検知するものとなり、人体検知センサ９が信号を検知動作するものとなる。  
【００３８】
なお、ここでは２つのセンサ部１３，１３を使用した実施例を示したが、センサ部１３を３つあるいは４つにして構成しても構わない。人体検知センサ９のセンサ部１３数が多ければ、より、確実な人体検知距離の制御、人体検知方向の制御がおこなえると考えられるからである。
このように、人体検知センサ９は、特に人体検知センサ９の近傍位置での人体検知のみが確実におこなえることに意味がある。
【００３９】
すなわち換言すれば、通常、人体検知センサ９は比較的価格が安価ではあるが、人体か否か不明確な場合にも検知動作してしまう誤動作、あるいは個室トイレ２５のように誤作動で決して検知してはいけない、または検知する必要のない比較的離れた距離にある人体まで検知してしまうなどの誤った動作を確実に制御し、特に近傍位置で手のひらなどをかざした場合にのみ人体検知する人体検知センサ９の提供を企図したのである。
【００４０】
さらに説明すれば、それぞれのセンサ部１３，１３の前面において、前記信号透過窓１５の方角を制御することによって、透過する信号の広がる面積とその位置（センサから見た角度）を制御でき、これによりセンサ部１３，１３が検知する幅と指向角度が３次元的に大きく違えるようにしたのである。
【００４１】
このことによって、至近距離では両方のセンサ部１３，１３が検知するが、仮に本来ではあり得ない強い赤外線などを放出する物体が、至近距離ではない遠い位置にあったとしても、その遠い位置にある物体は、その遠い位置で、前記両方のセンサ部１３，１３間を到底カバーできる様な大きさではない。すなわち、物理的にその物体が一体型としてはその遠い位置では存在し難いものなので、それによる誤検知を避けられることとなるのである。
【００４２】
具体例を上げて説明すると、本発明のごとく、手をかざすことで個室トイレ２５の錠装置を解錠したい場合に、このセンサの仕組みを用いると、センサ部１３，１３に至近距離で手をかざした時は確実に解錠できるが、遠い位置で強い赤外線を放出している人が、たとえ個室トイレ２５内で動いて１個のセンサ部１３の指向範囲に入ったとしても２個の両方のセンサ部１３，１３が同時に検知されない限り、決して解錠されないのである。
【００４３】
次に、人体検知センサ９は、電源として用いた電源部１０には、いわゆる小型の電池を使用した場合の工夫がなされている。
すなわち、この人体検知センサ９は、複数個のセンサ部１３・・・、ここでは２個のセンサ部１３，１３を用いており、この場合複数個のセンサ部１３・・・のすべてを電源待機状態にしておくと、待機消費電流が非常に大きくなり、電源部１０に電池を使用した場合には、すぐに電池が消耗してしまい、現実的な製品とはならなくなってしまう。
【００４４】
そこで、待機消費電流が少ない受動型赤外線人体検知センサのセンサ部１３の１個のみを待機状態としておき、その受動型赤外線人体検知センサが検知したときに、他方の人体検知センサのセンサ部１３、例えば光電管式人体検知センサなどへ電源を供給することで待機時の省エネが実現できるものとなる。
【００４５】
次に、本発明の錠装置１における内部構成につき説明する。まず、図１０，図１１に第１実施例をあげる。
図１０及び図１１から理解されるように、所定のケース１１内に本体ロック部５やデッドボルト部７が内設されている。図１０はデッドボルト部７が突出して施錠状態とされた場合の図であり、図１１はデッドボルト部７が退出して解錠状態となった場合の図である。図においてデッドボルト部７は図１０及び図１１の左右方向へスライドするように構成されているが、このデッドボルト部７の後端部には係止片１６が設けられており、該係止片１６を操作して施錠状態から解錠状態、すなわちデッドボルト部７を突出状態から退出状態へ操作するものとしている。
【００４６】
ここで、前記係止片１６の退出操作は、回転板１７の外周に複数個（本実施例では３個）の押圧突起１８・・・が所定間隔をあけて設けられており、前記回転板１７が反時計回りに回転することにより前記の押圧突起１８が係止片１６を押圧し、スライドさせてデッドボルト部７を図に向かって右方向へ退出させるのである。図１１に係止片１６の退出状態を示す。
【００４７】
また、前記回転板１７の回転操作は、前記人体検知センサ９が、個室トイレ２５内にいる人が手をかざしたことにより解錠の信号をセンスし、その解錠信号を受けてロック部８を構成するモータ（図１０，図１１には図示していない）が作動し、該モータが回転板１６を回転させるものとなる。
【００４８】
なお、この実施例ではデッドボルト部７をモータによりスライドさせて突出状態、すなわち施錠状態にはしない。施錠するのは、個室トイレ２５に入った人が手動で操作する構成としてある。図７を参照して説明すると、操作レバー１２を左側へ倒すことにより簡単に施錠できるものとされている。なお、このように回転式の操作レバーではなく、スライド式の操作レバーとしてもかまわない。
【００４９】
次に、図１２，図１３に第２実施例を示す。
この第２実施例は、前記第１実施例とほぼ同様の構成を採用しているが、この第２実施例では、図１２に示すように、デッドボルト部７が突出状態、すなわち施錠状態のとき、デッドボルト部７が不意に引っ込まないように、突出維持片１９を設けたものである。この突出維持片１９がデッドボルト部７を突出方向へ維持するため、不意にデッドボルト部７が退出し、解錠状態とならないよう構成したものである。
【００５０】
図１４，図１５は第３実施例を示したものである。
第３実施例では、デッドボルト部７に、回動して施錠する鈎状の第２デッドボルト２０を採用したものである。図１４から理解されるように、デッドボルト部７が突出すると共に鈎状の第２デッドボルト２０が回動して下側に突出し、受け部６に対し強固にかみ合い、もって施錠状態とするものである。
しかして、この第３実施例は、主に図５，図６に示した引き戸タイプの個室トイレ２５に適用されるものとなる。
【００５１】
図１６，図１７は第４実施例を示したものである。
この第４実施例のタイプは、人体検知センサ９を２カ所に装着したものである。すなわち、１カ所はこれまでの実施例と同様に、人体検知センサ９に人体、すなわち、解錠を望む個室トイレ２５内のトイレ使用者が手をかざして、それをセンスさせ、その信号を基にデッドボルト部７をスライドさせ手解錠状態とする場合である。
【００５２】
これに対し、もう１カ所は、ケース１１の反対側に設置した。これは個室トイレ２５に入った使用者が自己の手で本錠装置１を直に接触し、施錠するのではなく、施錠用の信号を検知して、送出する人体検知センサ９を設置したものである。従って、この施錠用の人体検知センサ９に個室トイレ２５内にいる使用者が検知されて、直に錠装置１に触ることなく施錠できるものとなる。
【００５３】
図１６，図１７において、符号２１は、ウォームギヤであり、ウォームと称されるねじ歯車２２と、それに合うウォームホィールと称されるはす歯歯車２３を組み合わせた機構として構成されている。
【００５４】
しかして、個室トイレ２５内で、使用後に使用者が手をかざして、人体検知センサ９に人体検知させると、前記ねじ歯車２２がモータ（図示していない）の回転を受けて回転し、それに伴い、はす歯歯車２３が反時計回りに回転する。
すると、前記はす歯歯車２３に連動して回転する押圧突起１８がデッドボルト部７の係止片１６を押圧して図１６において右側にスライドさせ、もってデッドボルト部７を退出させて解錠状態とする（図１６参照）。
【００５５】
なお、図１７は逆に施錠状態とした図であり、個室トイレ２５内に入った使用者が、トイレ扉２を閉める。その後、使用者は図１７において、錠装置１の左側に設けられた人体検知センサ９に手をかざして、人体をセンスさせ、その信号を受けてモータ（図示していない）を回転させる。
【００５６】
前記モータの回転を受けて、前記ねじ歯車２２が回転し、それに伴い、はす歯歯車２３が時計回りに回転する。
すると、前記はす歯歯車２３に連動して回転する押圧突起１８がデッドボルト部７の第２係止片２４を押圧して図１７において左側にスライドさせ、もってデッドボルト部７を突出させて施錠状態とするのである（図１７参照）。
【００５７】
ところで、個室トイレ２５の構築は様々であり、トイレ扉２は内開き扉、外開き扉、引き戸タイプの他、左あき扉と右あき扉がある。これらタイプの異なる扉にあわせて錠装置１を作製するとコストパフォーマンスに劣る結果となる。よって、本発明による錠装置１は、トイレ扉２あるいは側壁３に取り付ける取り付け面が左右いずれの面でも取り付けられるよう、内部を構成したものである。これによって、一つのタイプの錠装置１で、トイレ扉２が内開き扉であっても外開き扉であっても、また左あき扉であっても右あき扉であっても、取り付け面を反対面にするだけで簡単に汎用することが出来る構成にしてある。
【００５８】
ただ、引き戸タイプのトイレ扉については、デッドボルト部７につき、前述したように、回動して施錠する鈎状の第２デッドボルト２０を採用したタイプの錠装置１を採用する必要がある。
さらに、本発明で採用する人体検知センサ７は、いわゆるオリジナルセンサを使用したもので、確実に人体の手を感知し、動作するものである。また、待機消費電流も非常に少ないものである。
【００５９】
また、本発明で使用するロック部８を構成するモータロックも小型のモータロックを使用しており、きわめて省エネ仕様となっている。すなわち、電池の交換なしに例えば３万回以上動作が可能とされている。
さらに、この電池を電源とする場合には、配線・配管が全く不要で作業コストが格段に安価となっている。
【００６０】
また、本発明の錠装置１は、個室トイレ２５内にいる使用者が、簡単に手動で施錠や解錠ができるよう設計されている。よって、緊急時や非常時にも簡単に出ることができ、心配のない設計となっている。
【符号の説明】
【００６１】
１      錠装置
２      トイレ扉
３      側壁
４      図形
５      本体ロック部
６      受け部
７      デッドボルト部
８      ロック部
９      人体検知センサ
１０    電源部
１１    ケース
１２    操作レバー
１３    センサ部
１４    カバー部材
１５    信号透過用窓
１６    係止片
１７    回転板
１８    押圧突起
１９    突出維持片
２０    第２デッドボルト
２１    ウォームギヤ
２２    ねじ歯車
２３    はす歯歯車
２４    第２係止片    
２５    トイレ
２６    インジケーター
２７    制御部
【図１】
2010281175.tif 000003
【図２】
2010281175.tif 000004
【図３】
2010281175.tif 000005
【図４】
2010281175.tif 000006
【図５】
2010281175.tif 000007
【図６】
2010281175.tif 000008
【図７】
2010281175.tif 000009
【図８】
2010281175.tif 000010
【図９】
2010281175.tif 000011
【図１０】
2010281175.tif 000012
【図１１】
2010281175.tif 000013
【図１２】
2010281175.tif 000014
【図１３】
2010281175.tif 000015
【図１４】
2010281175.tif 000016
【図１５】
2010281175.tif 000017
【図１６】
2010281175.tif 000018
【図１７】
2010281175.tif 000019